(57)【要約】      （修正有）【課題】塵埃除去箱内で塵埃を落としたモップの防止部を外部に出す際、紡糸部と一緒に埃が外部に出てしまうのを防止し、且つ、埃を捕らえるフィルタの交換作業を極めて容易に行うことができるモップ用塵埃回収装置を提供する。【解決手段】モップ８０の柄８２の先端に備えた紡糸部を挿入可能な塵埃除去箱１２と、塵埃除去箱１２の底部に設けられた引出自在の塵収容箱３６と、塵埃除去箱１２内に設けられた塵落とし部材と、塵埃除去箱１２の上面開口を開閉自在に閉鎖した状態でモップ８０の柄８２が移動自在に通過する挿通部（挿通孔１８）を備えた蓋１４と、塵埃除去箱１２の一側に設けられ、空気吸込側が塵埃除去箱１２内に連通する送風機と、送風機の空気吸込側に設けられたフィルタと、塵落とし部材に当接した状態の紡糸部より上方における塵埃除去箱１２の他側に形成され、外気を吸引するための空気吸引口２６とを備える。【選択図】図１
0003154554.tif 000002
【実用新案登録請求の範囲】
【請求項１】
上面が開口し、モップの柄の先端に備えた紡糸部を挿入可能な内部空間を有する箱状の塵埃除去箱と、
該塵埃除去箱内に連通して当該塵埃除去箱の底部に設けられた引出自在の塵収容箱と、
前記塵埃除去箱内に設けられ、前記紡糸部に付着した塵埃を落とすための塵落とし部材と、
前記塵埃除去箱の上面開口を開閉自在に閉塞すると共に、閉鎖した状態で前記モップの柄が移動自在に通過する挿通部を備えた蓋と、
前記塵埃除去箱の一側に設けられ、空気吸込側が前記塵埃除去箱内に連通する送風機と、
前記送風機の空気吸込側に設けられたフィルタと、
前記塵落とし部材に当接した状態の前記紡糸部より上方における前記塵埃除去箱の他側に形成され、外気を吸引するための空気吸引口とを備えたことを特徴とするモップ用塵埃回収装置。
【請求項２】
上面が開口し、モップの柄の先端に備えた紡糸部を挿入可能な内部空間を有する箱状の塵埃除去箱と、
該塵埃除去箱内に連通して当該塵埃除去箱の底部に設けられた引出自在の塵収容箱と、
前記塵埃除去箱内に設けられ、前記紡糸部に付着した塵埃を落とすための塵落とし部材と、
前記塵埃除去箱の上面開口を開閉自在に閉塞すると共に、閉鎖した状態で前記モップの柄が移動自在に通過する挿通部を備えた蓋と、
前記塵埃除去箱の一側に設けられ、空気吸込側が前記塵埃除去箱内に連通する送風機と、
該送風機の空気吸込側に設けられたフィルタと、
前記送風機の空気吐出側と前記塵落とし部材に当接した状態の前記紡糸部より上方における前記塵埃除去箱内の他側とを連通するダクトとを備えたことを特徴とするモップ用塵埃回収装置。
【請求項３】
前記フィルタは、送り出し側から引き出され、前記送風機の空気吸込側を往復した後、巻き取り側に巻き取られるロール巻きフィルタであり、前記送り出し側から引き出された往路部分が復路部分の前記送風機側に位置することを特徴とする請求項１又は請求項２に記載のモップ用塵埃回収装置。
【請求項４】
前記塵埃除去箱内に設けられた邪魔板を備え、該邪魔板は、前記送風機により、前記塵埃除去箱内の他側から前記塵落とし部材に当接した状態の前記紡糸部と蓋との間を通過し、当該紡糸部と邪魔板間を通過した後、当該邪魔板と前記塵収容箱間を通過して前記送風機に吸い込まれる空気流を前記塵埃除去箱内に構成することを特徴とする請求項１乃至請求項３のうちの何れかに記載のモップ用塵埃回収装置。
【請求項５】
前記蓋の挿通部は、前記塵埃除去箱の中央より他側寄りに位置して設けられていることを特徴とする請求項４に記載のモップ用塵埃回収装置。
【考案の詳細な説明】
【技術分野】
【０００１】
本考案は、モップの紡糸部に付着した塵埃を塵埃除去箱内で落とし、蓋を開けて塵埃除去箱内から紡糸部を取り出す際、浮遊している埃が紡糸部と一緒に外部に出てしまうのを防止すると共に浮遊している埃がモップの紡糸部上面に積もってしまうなどといった不都合を防止し、且つ、埃の除去を行うフィルタの交換作業を極めて容易に行うことができるモップ用塵埃回収装置に関するものである。
【背景技術】
【０００２】
従来より床やフロアーの清掃に広くモップが使用されてきている。一般的にモップは、柄の先に取り付けられた紡糸部で塵埃を拭き取って床やフロアーを清掃するものであるが、当該紡糸部が汚れてしまうとモップの清掃機能が低下してしまう。清掃機能が低下したモップは、紡糸部に付着した塵埃を落とせば再度清掃機能が復活してモップを使用することができるようになる。
【０００３】
一方、スポーツ施設や学校等、床の広い体育館などの清掃用具としては長い柄の先に横長（横幅寸法約６００ｍｍ〜９００ｍｍ×前後幅寸法約７４ｍｍ〜１０５ｍｍ：紡糸長さは含まず）の紡糸部が取り付けられたモップが用いられている。そして、体育館の広い床を清掃する際、柄の先端に取り付けられた紡糸部を前方にして、複数の人が横に並んで順次柄を押しながら紡糸部で広い床から塵埃を収集し、清掃していた。
【０００４】
ところで、モップの紡糸部から塵埃を落とす装置としては、例えば、箱体に電動式の集塵ファンを設けると共に内部に塵埃除去フィルタを設けることにより、紡糸部から落とした塵埃をフィルタで除去するようなものが知られている。これにより、モップの紡糸部から塵埃を落とす際、塵埃が箱体外部周囲に飛散して、周囲が汚れてしまうのを防止していた。
【０００５】
即ち、このようなモップの紡糸部から塵埃を落とす装置は、箱体内が金網で上下に仕切られると共に、箱体上面にはモップの柄よりも少許大きめの透孔が設けられた蓋が取り付けられている。金網と所定の間隔を存して下側には、これもまた箱体を上下に仕切る形で金網上にフィルタが載置された引き出し式の塵埃除去フィルタが設けられており、その下部には電動式の集塵ファンが設けられている。この集塵ファンは、排気口が箱体の側面に取り付けられると共に箱体外部に連通して、塵埃除去フィルタ下方の箱体内の空気を外部に排出できるように構成されていた。
【０００６】
そして、塵埃をモップの紡糸部から落とす場合、透孔から外部に柄を出した状態でモップの紡糸部が金網上に載せられて蓋が閉じられる。次に集塵ファンが運転された後、モップの柄が上下させられて紡糸部が金網に複数回叩き付けられる。このとき、集塵ファンの運転により外気は蓋と箱体との隙間から箱体内に入り、金網、フィルタを順次通過して排気口から外部に排出されているので、モップの紡糸部から落下した塵埃はフィルタで除去される。このようにして、モップの紡糸部から塵埃を落とすと共に塵埃が飛散して、周囲が汚れてしまうのを防止していた（特許文献１参照）。
【特許文献１】特開２００９−８２５１８号公報
【考案の開示】
【考案が解決しようとする課題】
【０００７】
しかしながら、モップの紡糸部から落とされ、金網を通過して落下した塵埃は、下方のフィルタで除去されるが、当該フィルタは塵と埃の両方を除去するものであった。このため、塵埃量が多くなるとフィルタが目詰まりを起こし、短時間でフィルタの機能が低下してしまうという問題があった。
【０００８】
また、フィルタは、金網上に載置されているので、フィルタが塵埃で目詰まりをした都度、フィルタを引き出して新しいものに交換しなければならない。このため、フィルタの交換作業が煩雑となってしまう問題があった。
【０００９】
また、塵埃除去箱内に設けられた金網上に紡糸部を複数回叩き付けて、当該紡糸部から塵埃を落とす際、塵は下方に落ちるが、軽い塵は浮遊していた。このため、塵埃を落としてモップを綺麗にしたにも係わらず、蓋を開けて塵埃除去箱内から紡糸部を取り出す際、浮遊している埃が紡糸部と共に外部に出てしまう問題があると共に、浮遊している埃がモップの紡糸部上面に残ってしまうという問題があった。
【００１０】
また、フィルタを通過した空気はそのまま塵埃除去箱外部に排出されていた。このため、フィルタを通過した埃が塵埃除去箱外部に排出されてしまうという問題があった。
【００１１】
本考案は、係る従来技術の課題を解決するために成されたものであり、モップの紡糸部に付着した塵埃を塵埃除去箱内で落とし、蓋を開けて塵埃除去箱内から紡糸部を取り出す際、浮遊している埃がモップの紡糸部と一緒に外部に出てしまうのを防止すると共に浮遊している埃がモップの紡糸部上面に積もってしまうなどといった不都合を防止し、且つ、埃の除去を行うフィルタの交換作業を極めて容易に行うことができるモップ用塵埃回収装置を提供することを目的とする。
【課題を解決するための手段】
【００１２】
即ち、本考案のモップ用塵埃回収装置は、上面が開口し、モップの柄の先端に備えた紡糸部を挿入可能な内部空間を有する箱状の塵埃除去箱と、該塵埃除去箱内に連通して当該塵埃除去箱の底部に設けられた引出自在の塵収容箱と、塵埃除去箱内に設けられ、紡糸部に付着した塵埃を落とすための塵落とし部材と、塵埃除去箱の上面開口を開閉自在に閉塞すると共に、閉鎖した状態でモップの柄が移動自在に通過する挿通部を備えた蓋と、塵埃除去箱の一側に設けられ、空気吸込側が塵埃除去箱内に連通する送風機と、送風機の空気吸込側に設けられたフィルタと、塵落とし部材に当接した状態の紡糸部より上方における塵埃除去箱の他側に形成され、外気を吸引するための空気吸引口とを備えたことを特徴とする。
【００１３】
また、請求項２の考案のモップ用塵埃回収装置は、上面が開口し、モップの柄の先端に備えた紡糸部を挿入可能な内部空間を有する箱状の塵埃除去箱と、該塵埃除去箱内に連通して当該塵埃除去箱の底部に設けられた引出自在の塵収容箱と、塵埃除去箱内に設けられ、紡糸部に付着した塵埃を落とすための塵落とし部材と、塵埃除去箱の上面開口を開閉自在に閉塞すると共に、閉鎖した状態でモップの柄が移動自在に通過する挿通部を備えた蓋と、塵埃除去箱の一側に設けられ、空気吸込側が塵埃除去箱内に連通する送風機と、該送風機の空気吸込側に設けられたフィルタと、送風機の空気吐出側と塵落とし部材に当接した状態の紡糸部より上方における塵埃除去箱内の他側とを連通するダクトとを備えたことを特徴とする。
【００１４】
また、請求項３の考案のモップ用塵埃回収装置は、請求項１又は請求項２において、フィルタは、送り出し側から引き出され、送風機の空気吸込側を往復した後、巻き取り側に巻き取られるロール巻きフィルタであり、送り出し側から引き出された往路部分が復路部分の送風機側に位置することを特徴とする。
【００１５】
また、請求項４の考案のモップ用塵埃回収装置は、請求項１乃至請求項３に加えて、塵埃除去箱内に設けられた邪魔板を備え、該邪魔板は、送風機により、塵埃除去箱内の他側から塵落とし部材に当接した状態の紡糸部と蓋との間を通過し、当該紡糸部と邪魔板間を通過した後、当該邪魔板と塵収容箱間を通過して送風機に吸い込まれる空気流を塵埃除去箱内に構成することを特徴とする。
【００１６】
また、請求項５の考案のモップ用塵埃回収装置は、請求項４において、蓋の挿通部は、塵埃除去箱の中央より他側寄りに位置して設けられていることを特徴とする。
【考案の効果】
【００１７】
本考案によれば、上面が開口し、モップの柄の先端に備えた紡糸部を挿入可能な内部空間を有する箱状の塵埃除去箱と、該塵埃除去箱内に連通して当該塵埃除去箱の底部に設けられた引出自在の塵収容箱と、塵埃除去箱内に設けられ、紡糸部に付着した塵埃を落とすための塵落とし部材と、塵埃除去箱の上面開口を開閉自在に閉塞すると共に、閉鎖した状態でモップの柄が移動自在に通過する挿通部を備えた蓋と、塵埃除去箱の一側に設けられ、空気吸込側が塵埃除去箱内に連通する送風機と、送風機の空気吸込側に設けられたフィルタと、塵落とし部材に当接した状態の紡糸部より上方における塵埃除去箱の他側に形成され、外気を吸引するための空気吸引口とを備えたので、例えば、モップが塵落とし部材に複数回叩き付けられて紡糸部から塵埃が落とされた場合、重量が重い塵は下方に落下して塵収容箱内に収容されると共に、重量が軽く浮遊している埃は、送風機にて空気吸引口から塵埃除去箱内に吸い込まれた外気によって、フィルタ側に移動して当該フィルタで捕らえることができる。これにより、蓋を開けて塵埃除去箱内からモップの紡糸部を取り出す際、浮遊している埃がモップの紡糸部と一緒に外部に出てしまうのを防止することが可能になる。従って、蓋を開け塵埃除去箱内からモップの紡糸部を外部に出した際、埃が塵埃除去箱内から外部に飛散してしまうなどといった不都合を確実に防止することができると共に浮遊している埃が紡糸部の上面に積もってしまうなどといった不都合も防止することができるようになる。
【００１８】
特に、フィルタが短期間で目詰まりしてしまうのを防止するため紡糸部から落とした塵を塵収容箱内に収容し、浮遊している埃だけをフィルタで捕らえるようにしているので、フィルタが埃で目詰まりしてしまう期間を従来よりも大幅に延長することができる。これにより、長期間フィルタを交換する手間を省くことができる。従って、フィルタのランニングコストを大幅に低減させることができるようになるものである。
【００１９】
また、請求項２の考案によれば、上面が開口し、モップの柄の先端に備えた紡糸部を挿入可能な内部空間を有する箱状の塵埃除去箱と、該塵埃除去箱内に連通して当該塵埃除去箱の底部に設けられた引出自在の塵収容箱と、塵埃除去箱内に設けられ、紡糸部に付着した塵埃を落とすための塵落とし部材と、塵埃除去箱の上面開口を開閉自在に閉塞すると共に、閉鎖した状態でモップの柄が移動自在に通過する挿通部を備えた蓋と、塵埃除去箱の一側に設けられ、空気吸込側が塵埃除去箱内に連通する送風機と、該送風機の空気吸込側に設けられたフィルタと、送風機の空気吐出側と塵落とし部材に当接した状態の紡糸部より上方における塵埃除去箱内の他側とを連通するダクトとを備えたので、例えば、モップが塵落とし部材に複数回叩き付けられて紡糸部から塵埃が落とされた場合、重量が重い塵は下方に落下して塵収容箱内に収容されると共に、重量が軽く浮遊している埃は、送風機にて空気吸引口から塵埃除去箱内に吸い込まれたダクト内の空気によって、フィルタ側に移動し当該フィルタで捕らえられる。これにより、塵埃除去箱内で浮遊している埃がモップの紡糸部と一緒に外部に出てしまうのを防止することが可能になると共に浮遊している埃が紡糸部上に積もってしまうなどと言った不都合も防止することができる。従って、蓋を開け塵埃除去箱内からモップの紡糸部を外部に出した際、埃が塵埃除去箱の外部に飛散してしまうなどといった不都合を確実に防止することができるようになる。
【００２０】
特に、紡糸部が塵落とし部材に当接された状態で、送風機の空気吐出側に吐出された空気はダクトを介して空気吸引口から塵埃除去箱内に吸い込まれた後、紡糸部と蓋との間を通りフィルタを通過して送風機に帰還する循環を繰り返すようにしているので、従来のようにフィルタを通過した埃が塵埃除去箱内から外部に飛散してしまうなどという不都合を確実に防止することができる。従って、塵埃除去箱から外部に埃が出ることのない、衛生的なモップ用塵埃回収装置を提供することができるようになるものである。
【００２１】
また、請求項３の考案によれば、請求項１又は請求項２において、フィルタは、送り出し側から引き出され、送風機の空気吸込側を往復した後、巻き取り側に巻き取られるロール巻きフィルタであり、送り出し側から引き出された往路部分が復路部分の送風機側に位置するので、例えば、フィルタで埃が捕らえられて目詰まりをした場合、フィルタの復路部分のみ巻き取り側に巻き取ることで、埃を多量に捕らえたフィルタの復路部分を、埃が殆ど無い往路部分に置き換えることができると共に、埃が殆ど無い部分を送り側から送り出された、埃が全くない綺麗な部分に置き換えることが可能となる。これにより、フィルタの目詰まり部分を簡単に目詰まりしていない部分に置き換えることが可能となる。また、フィルタを往復して重複させているので、復路部分で捕らえられなかった埃を、往路部分で捕らえることが可能となる。従って、フィルタでの埃を捕らえる効率を大幅に向上させることができるようになる。
【００２２】
また、フィルタは、捕らえた塵を巻き取り側の円周中心側に位置して巻き取れるようになるので、フィルタを巻き取ることにより塵を捕らえた部分が巻き取り側で重なることとなる。これにより、捕らえた塵はフィルタの重なった部分で押さえ付けられる。従って、フィルタを交換する際、フィルタから塵が脱落してしまうなどといった不都合を未然に防止することが可能となり、極めて清潔なモップ用塵埃回収装置を提供することができるようになる。
【００２３】
また、請求項４の考案によれば、請求項１乃至請求項３に加えて、塵埃除去箱内に設けられた邪魔板を備え、該邪魔板は、送風機により、塵埃除去箱内の他側から塵落とし部材に当接した状態の紡糸部と蓋との間を通過し、当該紡糸部と邪魔板間を通過した後、当該邪魔板と塵収容箱間を通過して送風機に吸い込まれる空気流を塵埃除去箱内に構成するので、紡糸部の上面側に浮遊している埃、及び、紡糸部の下面側に浮遊している埃をフィルタで捕らえ、残りの綺麗になった空気だけを送風機に吸い込ませることができる。これにより、紡糸部の上面側、及び、紡糸部の下面側を埃のない綺麗な空気に置き換えることが可能となるので、例えば、塵埃除去箱内からモップの紡糸部を取り出した際、紡糸部と共に塵埃除去箱内の埃が外部に出てしまうなどと行った不都合を確実に防止することが可能となる。従って、塵埃除去箱内全体に浮遊している埃を除去することができるので、例えば、従来のように、塵落とし部材にて塵を落とした際、フィルタにて除去しきれずに浮遊している埃が、外部に飛散してしまうなどと行った、衛生悪化の不都合を未然に回避することができるようになると共に、モップを塵埃除去箱内から外部に出した際、紡糸部の上面が塵で汚れているなどといった不都合も確実に防止することができるようになる。
【００２４】
また、請求項５の考案によれば、請求項４において、蓋の挿通部は、塵埃除去箱の中央より他側寄りに位置して設けられているので、例えば、塵落とし部材上に紡糸部が当接された状態で、当該紡糸部と、塵埃除去箱一側の側壁間の隙間を他側の側壁間の隙間より広くすることができる。これにより、空気吸引口から塵埃除去箱内に吸い込まれた空気を、塵埃除去箱一側方向に紡糸部上面を通過させ、紡糸部と塵埃除去箱一側の側壁間から下方に流入させ、紡糸部下面を塵埃除去箱の他側に通過させて邪魔板と塵埃除去箱一側の側壁間から下方に流入させた後、邪魔板と塵埃除去箱の底壁間からフィルタを通過させて送風機に帰還させることができる。即ち、ダクトから塵埃除去箱内に吸い込まれた空気を紡糸部の上面側と下面側を円滑に通過させることができるので、紡糸部の上面側と下面側に浮遊している埃をフィルタにて確実に捕らえることができる。従って、蓋を開けた際、紡糸部の上面と下面に埃のない綺麗な状態で塵埃除去箱内から紡糸部を出すことができるので、衛生的なモップ用塵埃回収装置を提供することができる。
【考案を実施するための最良の形態】
【００２５】
本考案は、モップ紡糸部の塵埃を落とした後、蓋を開けて塵埃除去箱内から紡糸部を取り出す際浮遊している埃が紡糸部と一緒に外部に出てしまうのを防止し、且つ、フィルタが目詰まりしてしまうのを長期間防止することを主な特徴とする。紡糸部と一緒に埃が外部に出てしまうのを防止し、フィルタが目詰まりしてしまうのを長期間防止するという目的を、紡糸部から落とした塵埃中の塵を塵収容箱に収容し、紡糸部上面の空気を送風機にて吸い込み埃だけをフィルタにて捕らえることで実現した。
【実施例１】
【００２６】
次に、図面に基づき本考案の実施の形態を詳述する。図１は本考案の一実施例を示すモップ用塵埃回収装置１０の斜視図、図２は本考案のモップ用塵埃回収装置１０の概略縦断正面図、図３は本考案のモップ用塵埃回収装置１０の概略平断面図、図４は本考案のモップ用塵埃回収装置１０の概略縦断側面図をそれぞれ示している。
【００２７】
本実施形態におけるモップ用塵埃回収装置１０は、モップ８０の紡糸部８４に付着した塵埃を回収するためのもので、所謂ダストモップと称されるモップ８０の紡糸部８４に付着した塵埃の回収装置である。該モップ用塵埃回収装置１０は、図１に示すようにモップ８０の拭き取り部を構成する紡糸部８４（図２に図示）を挿入可能な縦長箱状の塵埃除去箱１２と、この塵埃除去箱１２の一側面（この場合、長手方向一側面）に設けられた送風機ケース４８と、塵埃除去箱１２の１側面と送風機４２との間に設けられたフィルタ５０とから構成されている。尚、モップ８０は、実施例では直径約２０ｍｍ、長さ約１２００ｍｍの棒状の柄８２と、柄８２の先に設けられ下部に所定長さの紡糸８８が設けられた紡糸板８６とからなる紡糸部８４（横幅寸法約６００ｍｍ〜９００ｍｍ×前後幅寸法約７４ｍｍ〜１０５ｍｍ：紡糸８８の長さを含まず）とから構成されている。
【００２８】
該塵埃除去箱１２は、所定の厚さの木板、合成樹脂板、或いは、金属板にて箱状に形成されている。即ち、塵埃除去箱１２の一側（図３右側）には右壁２２、他側（図３左側）には左壁２４、手前には前壁２８、後側には後壁３０、下部には底壁３２が設けられている（図３、図４に図示、底壁３２のみ図２に図示）。この塵埃除去箱１２の上面開口には、前壁２８及び後壁３０の略中央にて開閉可能な観音開き式の蓋１４が設けられており、この蓋１４は、前壁２８及び後壁３０に複数の蝶番１６にて開閉自在に取り付けられている。これらの右壁２２、左壁２４、前壁２８、後壁３０、底壁３２は固定部材（接着剤、釘、木ねじ、ボルトなど）にて固定されている。尚、塵埃除去箱１２は、骨組みを設け、この骨組みの表面に固定部材にて右壁２２、左壁２４、前壁２８、後壁３０、底壁３２を固定しても差し支えない。
【００２９】
そして、蓋１４を閉鎖したとき（閉じたとき）、当該蓋１４の中央にはモップ８０の紡糸部８４を塵埃除去箱１２内に挿入した状態で、柄８２を外部に出せる挿通孔１８（本発明の挿通部に相当）が設けられている。この挿通孔１８は、蓋１４を閉じた状態で、双方が対向位置に略半円形の切り欠きが設けられることにより、蓋１４の中央で略円形になるように形成されている。該挿通孔１８は、右壁２２と左壁２４の略中間に位置して設けられている。尚、挿通孔１８の大きさ（直径）は、モップ８０の柄８２の直径よりも少許大きい寸法（柄８２の直径の約１．５倍）に形成されている。
【００３０】
塵埃除去箱１２の底部（底壁３２上）には、一側に取り付けられた取っ手３８によって引出自在の塵収容箱３６が設けられている。即ち、塵収容箱３６は、塵埃除去箱１２内に出し入れ自在に前壁２８の下部に設けられており、塵収容箱３６内に塵が溜まったら取っ手３８を手で持って引き出し、塵収容箱３６内に収容された塵を廃棄処分できるように構成されている。尚、３４はキャスターであり、塵埃除去箱１２を移動する際使用するもので、塵埃除去箱１２の底壁３２下部の略４角に設けられている（図２に図示）。
【００３１】
塵埃除去箱１２内には、モップ８０の紡糸部８４を複数回叩き付けて、当該紡糸部８４に付着した塵埃を塵収容箱３６内に落とす塵落とし部材４０が設けられており、塵埃除去箱１２内はこの塵落とし部材４０によって上下に仕切られている。該塵落とし部材４０は、所定強度の金属棒が前壁２８と後壁３０間に渡って掛け渡されると共に所定の間隔で右壁２２と左壁２４間に多数（複数本〜数十本）設けられている。即ち、多数の塵落とし部材４０が、塵埃除去箱１２の一側から他側に渡って所定の間隔で配設されている。
【００３２】
左壁２４には、空気吸引口２６が設けられており、塵埃除去箱１２はこの空気吸引口２６によって内外を連通している。該この空気吸引口２６は、塵落とし部材４０にモップ８０の紡糸部８４が当接された状態で、紡糸部８４の上面と蓋１４との略中間に位置して設けられている。また、紡糸部８４を塵落とし部材４０に複数回叩き付ける際、紡糸部８４が右壁２２及び左壁２４に擦れずに円滑にモップ８０の柄８２を上下動させられるように、紡糸部８４を塵埃除去箱１２の塵落とし部材４０上に当接させた状態で、紡糸部８４端部と右壁２２及び左壁２４間は約５０ｍｍ〜約１００ｍｍの隙間が設けられている。尚、２７は、空気吸引口２６周囲に設けられた案内板枠で、後述する送風機４２によって、空気吸引口２６から空気が吸い込まれたとき、紡糸部８４の上面をフィルタ５０方向に円滑に流れるように、空気吸引口２６からフィルタ５０方向に突設されている（図２に図示）。
【００３３】
前記送風機４２は、一般家庭用の交流商用電源（この場合、ＡＣ１００Ｖ）にて運転可能なシロッコファンやターボファン、或いは、軸流ファン、斜流ファンなどからなるファン４６と、このファン４６を駆動する電動機４４にて構成されている。この送風機４２は塵埃除去箱１２の一方（図１、２、３右側）の右壁２２に隣接して設けられている。送風機４２は、一側（塵埃除去箱１２側）と他側（塵埃除去箱１２と反対側）を開口すると共に、上面（塵埃除去箱１２の底壁３２に対する蓋１４方向）を塵埃除去箱１２の蓋１４上面と同一面に位置した送風機ケース４８に収納されている。
【００３４】
該送風機４２は、空気吸込側が送風機ケース４８の塵埃除去箱１２側、空気吐出側が塵埃除去箱１２と反対側に位置し、この送風機ケース４８の一側（ファン４６に対して電動機４４方向）を開口すると共に、下部（塵埃除去箱１２の蓋１４に対してキャスター３４方向）を開口している。即ち、送風機４２は、送風機ケース４８にて覆われており、この送風機ケース４８は、一側と下部を外部に開口すると共に、他側（空気吸込側）を塵埃除去箱１２内に連通している。そして、送風機４２の空気吸込側から吸い込まれた空気は、送風機ケース４８の一側及び下部から外部に排出される（図２実線矢印）。尚、図３では下方に排出された空気が塵埃除去箱１２の接地面に当たり上下方向（図中実線矢印）に方向を変えた空気の流れを示している。また、送風機４２にて送風機ケース４８の上下方向に空気を排出するように構成しても差し支えない。
【００３５】
送風機４２の空気吸込側にはフィルタ５０が設けられており、このフィルタ５０は、送風機ケース４８の空気吸込側の開口を塞ぐ形で設けられている（フィルタ５０は、送風機４２の送風機ケース４８と塵埃除去箱１２との間に設けられている）。即ち、送風機４２の空気吸込側は、フィルタ５０を介して塵埃除去箱１２内に連通しており、送風機４２の空気吐出側は送風機ケース４８から外部に連通している。そして、送風機４２は、空気吸込側からフィルタ５０を介して塵埃除去箱１２内の空気を吸い込み、送風機ケース４８の外部に排出できるように構成されている。前記右壁２２は、底壁３２から塵収容箱３６厚さの約２倍の高さまで蓋１４方向に延在し、送風機ケース４８は右壁２２の上縁から蓋１４までの大きさを呈している。
【００３６】
該フィルタ５０は、例えばモップ８０に吸着した埃が殆ど通過せずに捕らえることができる不織布などが巻寿司やバウムクーヘンのように捲回されたロール巻きフィルタにて構成されている。送風機４２の送風機ケース４８上には、ロール巻きのフィルタ５０の送出部５２（本発明の送り出し側に相当）が回動可能に設置され、送出部５２から送り出されたフィルタ５０を巻き取るための巻取部５４（本発明の巻き取り側に相当）も送風機ケース４８上に回動可能に設置されている。該送出部５２と巻取部５４は平設されており、巻取部５４は送出部５２に対して塵埃除去箱１２方向に設置されている。
【００３７】
また、送出部５２から引き出されたフィルタ５０は、塵埃除去箱１２の蓋１４と送風機４２の送風機ケース４８との間を下方（底壁３２方向）に至り、右壁２２の上端近傍に設けられた折返し軸５６に引っ掛けられて折り返した後、上方の巻取部５４に巻き取り可能に取り付けられている。即ち、送出部５２から引き出されたフィルタ５０は、送風機４２の空気吸込側を往復させることにより近接して重複させた後、巻取部５４に巻き取られるロール巻きフィルタにて構成されている。
【００３８】
該フィルタ５０は、送出部５２から引き出された往路部分（フィルタ５０の送出部５２から折返し軸５６までの部分に相当）が復路部分（フィルタ５０の折返し軸５６から巻取部５４までの部分に相当）の送風機４２側に位置している。即ち、フィルタ５０は、送出部５２から折返し軸５６までを、折返し軸５６から巻取部５４側までのファン４６側に位置している。言い換えると、近接重複させたフィルタ５０は、送出部５２から折返し軸５６までを送風機４２側、折返し軸５６から巻取部５４側を塵埃除去箱１２側に位置させている。また、巻取部５４に巻き取られるフィルタ５０は、捕らえた塵が巻取部５４の円周中心側に位置して巻き取れるようになる。これにより、フィルタ５０で塵を捕らえた部分が巻取部５４に重なり押さえ付けられるので、当該巻取部５４に巻き込んだ塵がフィルタ５０から脱落してしまうのを防止することができる。尚、フィルタ５０の巻取部５４には、図示しないが、手動巻き取りレバー、或いは、自動巻き取り装置が設けられている。
【００３９】
また、送風機４２上には、フィルタケース５８が設けられており、このフィルタケース５８は、フィルタ５０（送出部５２及び巻取部５４）を覆う形で配設されている。該フィルタケース５８は、当該フィルタケース５８より外気が塵埃除去箱１２内に入らないように密封され、送出部５２から引き出された往路部分と復路部分から下方の折返し軸５６までの部分のみが開口している。尚、６０、６２は格子状の撓み防止網で、フィルタ５０を介して塵埃除去箱１２内の空気を送風機４２にて吸い込む際、フィルタ５０が送風機４２方向に撓んでしまうのを防止するため、フィルタ５０の送出部５２から折返し軸５６間、及び、折返し軸５６から巻取部５４間の送風機４２側に位置して設けられている。また、フィルタ５０の送出部５２及び巻取部５４と、折返し軸５６間が略平行になるように撓み防止網６０、６２が配設されている。また、図示しないがフィルタケース５８には、フィルタ５０交換用の扉が設けられており、この扉を開閉することでフィルタ５０を交換することができる。
【００４０】
以上の構成で次にモップ用塵埃回収装置１０の使用例を説明する。尚、モップ８０は既に使用されて紡糸部８４を構成する紡糸８８には塵埃が吸着されているものとする。また、送風機４２には交流商用電源が接続され、図示しない運転スイッチが設けられているものとする。まず、蓋１４が開かれ、モップ８０の紡糸部８４が塵落とし部材４０上に当接された後、蓋１４が閉じられる。この状態で、モップ８０の柄８２は挿通孔１８から上方に所定寸法延在する。
【００４１】
次に、運転スイッチがＯＮされ、送風機４２が運転されると、送風機４２は空気吸込側から塵埃除去箱１２内の空気を、フィルタ５０を通過させて吸い込み空気吐出側に吐出し送風機ケース４８の外部に排出する。この状態で、モップ８０の柄８２が上下されて、紡糸部８４が塵落とし部材４０に複数回叩き付けられると、紡糸部８４に吸着した重い塵は下方に落下して塵収容箱３６内に収容される。係るモップ８０の紡糸部８４が塵落とし部材４０に複数回叩き付けられた際、塵と共に紡糸部８４に吸着された軽い埃は塵埃除去箱１２内に舞い上がる。
【００４２】
このとき、運転された送風機４２によって、外気は空気吸引口２６から塵埃除去箱１２内に吸い込まれ、フィルタ５０を通過して空気吐出側に吐出され、送風機ケース４８の外部に排出される。係る塵埃除去箱１２内に浮遊している埃は、空気吸引口２６から塵埃除去箱１２内に吸い込まれた外気と共にフィルタ５０を通過する過程で、当該フィルタ５０に捕らえられる。埃がフィルタ５０に捕らえられて綺麗になった残りの空気は、送風機４２に吸い込まれて空気吐出側に吐出され、送風機ケース４８の外部に排出されることになる（図２、図３実線矢印）。
【００４３】
即ち、塵埃除去箱１２内に浮遊している埃はフィルタ５０にて捕らえられ、綺麗な空気だけが送風機４２に吸い込まれて空気吐出側に吐出され、塵埃除去箱１２外部（送風機ケース４８の外部）に排出される。また、モップ８０の紡糸部８４が塵落とし部材４０上に当接された状態では、モップ８０の紡糸部８４上面と蓋１４との間に浮遊している埃はフィルタ５０にて捕らえられ、フィルタ５０を通過した綺麗な空気だけが送風機４２に吸い込まれて空気吐出側に吐出され塵埃除去箱１２外部に排出される。
【００４４】
このように、上面が開口し、モップ８０の柄８２の先端に備えた紡糸部８４を挿入可能な内部空間を有する箱状の塵埃除去箱１２と、該塵埃除去箱１２内に連通して当該塵埃除去箱１２の底部に設けられた引出自在の塵収容箱３６と、塵埃除去箱１２内に設けられ、紡糸部８４に付着した塵埃を落とすための塵落とし部材４０と、塵埃除去箱１２の上面開口を開閉自在に閉塞すると共に、閉鎖した状態でモップ８０の柄８２が移動自在に通過する挿通孔１８を備えた蓋１４と、塵埃除去箱１２の一側に設けられ、空気吸込側が塵埃除去箱１２内に連通する送風機４２と、送風機４２の空気吸込側に設けられたフィルタ５０と、塵落とし部材４０に当接した状態の紡糸部８４より上方における塵埃除去箱１２の他側に形成され、外気を吸引するための空気吸引口２６とを備えたので、例えば、モップ８０が塵落とし部材４０に複数回叩き付けられて紡糸部８４から塵埃が落とされた場合、重量が重い塵は下方に落下して塵収容箱３６内に収容されると共に、重量が軽く浮遊している埃は、送風機４２にて空気吸引口２６から塵埃除去箱１２内に吸い込まれた外気によって、フィルタ５０側に移動して当該フィルタ５０で捕らえることができる。これにより、蓋１４を開けて塵埃除去箱１２内からモップ８０の紡糸部８４を取り出す際浮遊している埃がモップ８０の紡糸部８４と一緒に外部に出てしまうのを防止することが可能になる。従って、蓋１４を開け塵埃除去箱１２内からモップ８０の紡糸部８４を外部に出した際、埃が塵埃除去箱１２内から外部に飛散してしまうなどといった不都合を確実に防止することができると共に浮遊している埃が紡糸部８４の上面に積もってしまうなどといった不都合も防止することができるようになる。
【００４５】
特に、フィルタ５０が短期間で目詰まりしてしまうのを防止するため紡糸部８４から落とした塵を塵収容箱３６内に収容し、浮遊している埃だけをフィルタ５０で捕らえるようにしているので、フィルタ５０が埃で目詰まりしてしまう期間を従来よりも大幅に延長することができる。これにより、長期間フィルタ５０を交換する手間を省くことができるので、フィルタ５０のランニングコストを大幅に低減させることができるようになる。
【００４６】
一方、前記送出部５２から引き出されたフィルタ５０は、送風機４２の空気吸込側を往復させることにより、送出部５２から折返し軸５６までを送風機４２側、折返し軸５６から巻取部５４側を塵埃除去箱１２側に位置させているので、塵埃除去箱１２内に浮遊している埃は、塵埃除去箱１２側に位置しているフィルタ５０に捕らえられる。また、塵埃除去箱１２側に位置しているフィルタ５０に捕らえられずに通過した埃は、重複させた送出部５２から折返し軸５６までの間に位置させたフィルタ５０で捕らえることができるので、重複したフィルタ５０を通過した空気は、一重のフィルタ５０よりも更に埃の少ない綺麗な空気となって、空気吸込側から送風機４２に吸い込まれ、空気吐出側から塵埃除去箱１２外部に排出されることとなる。尚、塵埃除去箱１２側に位置しているフィルタ５０を通過した空気は、当該フィルタ５０にて殆どの埃が捕らえられた後の空気のため、重複した送風機４２のフィルタ５０では極少量の埃が捕らえられるだけである。
【００４７】
そして、モップ８０の紡糸部８４の清掃が行われると、フィルタ５０は次第に埃の量が多くなっていき、これに伴って、特に塵埃除去箱１２側に位置しているフィルタ５０は目詰まり状態となって行く。この場合、塵埃除去箱１２側に位置しているフィルタ５０が目詰まりをした場合でも、送風機４２の空気吸込側に位置しているフィルタ５０は、塵埃除去箱１２側に位置しているフィルタ５０で捕らえられずに通過した極少量の埃を捕らえるだけなので、殆ど目詰まりすることがない。
【００４８】
そこで、目詰まりをしたフィルタ５０を巻き取る際、塵埃除去箱１２側に位置している部分のフィルタ５０だけを、巻取部５４で巻き取る（図２、図６、図９実線矢印）。これにより、フィルタ５０の埃を捕らえた部分は巻取部５４に巻き取られ、埃を捕らえた部分に送風機４２の空気吸込側に位置しているフィルタ５０が塵埃除去箱１２側に位置すると共に、送出部５２から引き出され（図２、図６、図９実線矢印）、埃の無いフィルタ５０は送風機４２の空気吸込側に位置する。
【００４９】
また、巻取部５４に巻き取られるフィルタ５０は、塵埃除去箱１２側の面を巻取部５４の中心側に位置させて巻き取るように構成しているので、フィルタ５０で捕らえた埃の部分は、先に巻き取ったフィルタ５０に挟み込まれる。この場合、巻取部５４に巻き取られたフィルタ５０の表面に埃が露出してしまうことがない。これにより、フィルタ５０交換の際、巻取部５４に巻き取られたフィルタ５０表面に埃が出ないので、手が汚れるなどといった不都合も防止できると共に、交換したフィルタ５０から周囲に埃が飛散してしまうなどと行った不都合も防止することができる。
【００５０】
このように、フィルタ５０は、送出部５２から引き出され、送風機４２の空気吸込側を往復した後、巻取部５４に巻き取られるロール巻きフィルタ５０であり、送出部５２から引き出された往路部分が復路部分の送風機４２側に位置するので、例えば、フィルタ５０で埃が捕らえられて目詰まりした場合、フィルタ５０の復路部分のみ巻取部５４に巻き取ることで、埃を多量に捕らえたフィルタ５０の復路部分を、埃が殆ど無い往路部分に置き換えることができると共に、埃が殆ど無い部分を送出部５２から送り出された、埃が全くない綺麗な部分に置き換えることが可能となる。これにより、フィルタ５０の目詰まり部分を簡単に目詰まりしていない部分に置き換えることが可能となる。また、フィルタ５０を往復して重複させているので、復路部分で捕らえられなかった埃を、往路部分で捕らえることが可能となる。従って、フィルタ５０が埃を捕らえる効率を大幅に向上させることができる。
【００５１】
また、フィルタ５０は、捕らえた塵を巻き取り側の円周中心側に位置して巻き取れるようになるので、フィルタ５０を巻き取ることにより、埃を捕らえた部分が巻取部５４で重なることになる。これにより、捕らえた塵はフィルタ５０の重なった部分で押さえ付けられる。従って、フィルタ５０を交換する際、フィルタ５０から塵が脱落してしまうなどといった不都合を未然に防止することが可能となり、極めて清潔なモップ用塵埃回収装置１０を提供することができるようになる。
【実施例２】
【００５２】
次に、図５、図６、図７、図８には本考案の他の実施例のモップ用塵埃回収装置１０を示している。該モップ用塵埃回収装置１０は、前述の実施例１と略同じ構成を有している。以下、異なる部分について説明する。尚、前述の実施の形態と同じ部分にはこれと同じ符号を付し、説明を省略する。
【００５３】
まず、実施例１で説明した送風機４２を覆っている送風機ケース４８は、空気吸込側からフィルタ５０を介して塵埃除去箱１２内に連通すると共に、一側の開口、及び、下部の開口を閉塞している。該モップ用塵埃回収装置１０は、図５に示すように、送風機４２の空気吐出側と塵埃除去箱１２の他側に渡ってダクト６４を備えている。
【００５４】
詳しくは、送風機ケース４８の後方側（塵埃除去箱１２の前壁２８に対する後壁３０方向）を開口し、そこにダクト６４の一側を接続している。該ダクト６４の他側は後壁３０の外面に沿って左壁２４まで至り、塵埃除去箱１２の空気吸引口２６に接続されている。係る送風機４２の空気吐出側は、ダクト６４の一側から当該ダクト６４内の一側に連通し、ダクト６４内の他側は塵埃除去箱１２の空気吸引口２６から塵埃除去箱１２内に連通している。即ち、送風機４２の空気吐出側に吐出された空気は、ダクト６４内を通り、空気吸引口２６から塵埃除去箱１２内を通過して、フィルタ５０を通過し、空気吸込側から送風機４２に帰還する循環を繰り返すように構成されている（図７実線矢印）。
【００５５】
以上の構成で次にモップ用塵埃回収装置１０の使用例を説明する。尚、モップ８０は既に使用されて紡糸部８４を構成する紡糸８８には塵埃が吸着されているものとする。また、送風機４２には交流商用電源が接続され、図示しない運転スイッチが設けられているものとする。まず、蓋１４が開かれ、モップ８０の紡糸部８４が塵落とし部材４０上に当接された後、蓋１４が閉じられる。この状態で、モップ８０の柄８２は挿通孔１８から上方に所定寸法延在する。
【００５６】
次に、運転スイッチがＯＮされ、送風機４２が運転されて空気吐出側から吐出された空気は、ダクト６４内を通過して空気吸引口２６から塵埃除去箱１２内に吸い込まれる。塵埃除去箱１２内に吸い込まれた空気は、モップ８０の紡糸部８４上面と蓋１４との間を送風機４２方向に移動し、フィルタ５０を通過して空気吸込側から送風機４２に帰還する循環を繰り返す。この状態で、モップ８０の柄８２が上下されて、紡糸部８４が塵落とし部材４０に複数回叩き付けられると、紡糸部８４に吸着されている重い塵は下方に落下して塵収容箱３６内に収容される。係るモップ８０の紡糸部８４が塵落とし部材４０に複数回叩き付けられた際、塵と共に紡糸部８４に吸着された軽い埃は塵埃除去箱１２内に舞い上がる。
【００５７】
このとき、運転された送風機４２によって、ダクト６４内から塵埃除去箱１２内に吸い込まれた空気は、フィルタ５０を通過して空気吐出側に吐出され、ダクト６４内に流入する循環を繰り返す。係る塵埃除去箱１２内に浮遊している埃は、空気吸引口２６から塵埃除去箱１２内に吸い込まれたダクト６４内の空気と共にフィルタ５０を通過する過程で、当該フィルタ５０に捕らえられる。埃が捕らえられて綺麗になった残りの空気は、送風機４２に吸い込まれて空気吐出側に吐出され、ダクト６４内に流入する循環を繰り返すことになる（図６、図７実線矢印）。
【００５８】
即ち、塵埃除去箱１２内に浮遊している軽い埃はフィルタ５０にて捕らえられ、綺麗な空気だけが送風機４２に吸い込まれて空気吐出側に吐出され、ダクト６４内を通過して、空気吸引口２６から塵埃除去箱１２内に吸い込まれる循環を繰り返す。また、モップ８０の紡糸部８４が塵落とし部材４０上に当接された状態では、モップ８０の紡糸部８４上面と蓋１４との間に浮遊している軽い埃がフィルタ５０にて捕らえられ、綺麗な空気だけが送風機４２に吸い込まれて空気吐出側に吐出され、ダクト６４内を通過して空気吸引口２６から塵埃除去箱１２内に流入する循環を繰り返す。
【００５９】
そして、空気吸引口２６から塵埃除去箱１２に流入した少量の空気は、紡糸部８４と右壁２２の間（以降第一の隙間７０と称す）から紡糸部８４の下面に入り塵落とし部材４０と底壁３２間を通り、フィルタ５０を通過した綺麗な空気が送風機４２に吸い込まれる（図６実線矢印）。また、前記実施例１も図示していないが同様に、空気吸引口２６から塵埃除去箱１２に吸い込まれた少量の空気は、紡糸部８４と右壁２２の間から紡糸部８４の下面に入り塵落とし部材４０と底壁３２間を通り、フィルタ５０を通過した綺麗な空気が送風機４２に吸い込まれる。
【００６０】
このように、上面が開口し、モップ８０の柄８２の先端に備えた紡糸部８４を挿入可能な内部空間を有する箱状の塵埃除去箱１２と、該塵埃除去箱１２内に連通して当該塵埃除去箱１２の底部に設けられた引出自在の塵収容箱３６と、塵埃除去箱１２内に設けられ、紡糸部８４に付着した塵埃を落とすための塵落とし部材４０と、塵埃除去箱１２の上面開口を開閉自在に閉塞すると共に、閉鎖した状態でモップ８０の柄８２が移動自在に通過する挿通孔１８を備えた蓋１４と、塵埃除去箱１２の一側に設けられ、空気吸込側が塵埃除去箱１２内に連通する送風機４２と、該送風機４２の空気吸込側に設けられたフィルタ５０と、送風機４２の空気吐出側と塵落とし部材４０に当接した状態の紡糸部８４より上方における塵埃除去箱１２内の他側とを連通するダクト６４とを備えたので、例えば、モップ８０が塵落とし部材４０に複数回叩き付けられて紡糸部８４から塵埃が落とされた場合、重量が重い塵は下方に落下して塵収容箱３６内に収容されると共に、重量が軽く浮遊している埃は、送風機４２にて空気吸引口２６から塵埃除去箱１２内に吸い込まれたダクト６４内の空気によって、フィルタ５０側に移動して当該フィルタ５０で捕らえられる。これにより、塵埃除去箱１２内で浮遊している埃がモップ８０の紡糸部８４と一緒に外部に出てしまうのを防止することが可能になると共に浮遊している埃が紡糸部８４上に積もってしまうなどと言った不都合も防止することができる。従って、蓋１４を開け塵埃除去箱１２内からモップ８０の紡糸部８４を外部に出した際、埃が塵埃除去箱１２の外部に飛散してしまうなどといった不都合を確実に防止することができる。
【００６１】
特に、紡糸部８４が塵落とし部材４０に当接された状態で、送風機４２の空気吐出側に吐出された空気はダクト６４を介して空気吸引口２６から塵埃除去箱１２内に吸い込まれた後、紡糸部８４と蓋１４との間を通りフィルタ５０を通過して送風機４２に帰還する循環を繰り返すようにしているので、従来のようにフィルタ５０を通過した埃が塵埃除去箱１２内から外部に飛散してしまうなどという不都合を確実に防止することができる。従って、塵埃除去箱１２から外部に埃が出ることのない、衛生的なモップ用塵埃回収装置を提供することができる。
【実施例３】
【００６２】
次に、図９には本考案の他の実施例のモップ用塵埃回収装置１０を示している。該モップ用塵埃回収装置１０は、前述の実施例２と略同じ構成を有している。以下、異なる部分について説明する。尚、前述の実施の形態と同じ部分にはこれと同じ符号を付し、説明を省略する。
【００６３】
該モップ用塵埃回収装置１０は、図９に示すように、塵埃除去箱１２内に当該塵埃除去箱１２内の空気の流れを変える邪魔板６６を設けている。即ち、邪魔板６６は前壁２８と後壁３０間に当接した状態で、右壁２２の上方（蓋１４の送風機４２側）から塵落とし部材４０近傍まで底壁３２方向に延在し、そこから左壁２４方向に延在しながら底壁３２方向に傾斜している。右壁２２側から左壁２４方向に延在する邪魔板６６の先端は、左壁２４と挿通孔１８の略中間まで延在すると共に、塵収容箱３６の上縁と塵落とし部材４０との略中間に位置している。この邪魔板６６の先端と左壁２４との間に隙間（以降第三の隙間７４と称す）を設けており、この第三の隙間７４は、邪魔板６６の先端と塵収容箱３６の上縁との隙間寸法と略同等若しくはその隙間の約２倍の寸法に構成されている。尚、邪魔板６６と底壁３２（邪魔板６６と右壁２２の上端）間はフィルタ５０を介して送風機４２の空気吸込側に連通している。
【００６４】
また、蓋１４に設けた挿通孔１８は、右壁２２と左壁２４の中央より、少許左壁２４側に位置して設けられている。この場合、蓋１４に設けた挿通孔１８は、塵埃除去箱１２の右壁２２と左壁２４間を二等分した中心線Ｏより他側寄りに位置して設けられている。即ち、挿通孔１８の中心から左壁２４までの寸法Ｂより、右壁２２迄の寸法Ａを広くしている。具体的には、右壁２２と左壁２４間寸法の約１０％左壁２４側に位置して設けられている。この状態で、モップ８０の紡糸部８４を塵埃除去箱１２内に挿入し、蓋１４を閉じて柄８２を外部に出したとき、第一の隙間７０（左壁２４と紡糸部８４間の隙間）となる図中Ｃ寸法より右壁２２と紡糸部８４間の隙間（以降第二の隙間７２と称す）となる図中Ｄ寸法の方が広くなるように構成している。
【００６５】
これによって、空気吸引口２６から塵埃除去箱１２内に吸い込まれた空気が第一の隙間７０より底壁３２方向に流入し難くして、第二の隙間７２から塵落とし部材４０と邪魔板６６間に流入し易くしている。即ち、空気吸引口２６から塵埃除去箱１２内に吸い込まれた空気が、紡糸部８４の上面を空気吸引口２６側から送風機４２方向に流通すると共に、紡糸部８４と邪魔板６６間に流入した空気が紡糸部８４の下面を送風機４２側から左壁２４方向に円滑に流通するように構成している。
【００６６】
送風機４２の空気吐出側から吐出された空気の、具体的な流れは、紡糸部８４が塵落とし部材４０に当接した状態で、送風機４２の空気吐出側から吐出され、ダクト６４内を通過して空気吸引口２６から塵埃除去箱１２内に流入する。塵埃除去箱１２内に流入した空気は第一の隙間７０に入ることなく紡糸部８４の上面と蓋１４との間を送風機４２方向に通過し、第二の隙間７２から紡糸部８４と邪魔板６６間に流入する。第二の隙間７２から紡糸部８４と邪魔板６６間に流入した空気は、塵埃除去箱１２の左壁２４方向に至り、第三の隙間７４を通り、邪魔板６６と底壁３２間に流入した後、送風機４２方向に移動しフィルタ５０を通過して送風機４２の空気吸込側に帰還する循環を繰り返す。
【００６７】
次に、運転スイッチがＯＮされ、送風機４２が運転されて空気吐出側から吐出された空気はダクト６４内を通過して空気吸引口２６から塵埃除去箱１２内に入り、モップ８０の紡糸部８４上面と蓋１４との間を送風機４２方向に移動した後、第二の隙間７２から紡糸部８４と邪魔板６６間に流入する。紡糸部８４と邪魔板６６間に流入した空気は、左壁２４方向に移動し第三の隙間７４から邪魔板６６と底壁３２間に流入してフィルタ５０方向に移動する。そして、フィルタ５０を通過した空気は、空気吸込側から送風機４２に帰還する循環を繰り返す。この状態で、モップ８０の柄８２が上下されて、紡糸部８４が塵落とし部材４０に複数回叩き付けられると、紡糸部８４に吸着されている重い塵は下方に落下して塵収容箱３６内に収容される。係るモップ８０の紡糸部８４が塵落とし部材４０に複数回叩き付けられた際、塵と共に紡糸部８４に吸着された軽い埃は塵埃除去箱１２内に舞い上がる。
【００６８】
このとき、運転された送風機４２によって、ダクト６４内から塵埃除去箱１２内に吸い込まれた空気は、モップ８０の紡糸部８４上面と蓋１４との間を送風機４２方向に移動し、第二の隙間７２から紡糸部８４と邪魔板６６間に流入し右壁２２方向に移動した後、第三の隙間７４から邪魔板６６と底壁３２間に流入して送風機４２方向に移動し、フィルタ５０を通過して空気吸込側から送風機４２に帰還する循環を繰り返している。係る塵埃除去箱１２内に浮遊している埃（この場合、紡糸部８４上下面の埃となる）は、空気吸引口２６から塵埃除去箱１２内に吸い込まれたダクト６４内の空気と共にフィルタ５０を通過する過程で、当該フィルタ５０に捕らえられる。埃が捕らえられて綺麗になった残りの空気は、送風機４２に吸い込まれて空気吐出側に吐出され、ダクト６４内に流入する循環を繰り返すことになる（図９実線矢印）。
【００６９】
即ち、塵埃除去箱１２内に浮遊している埃はフィルタ５０にて捕らえられ、綺麗な空気だけが送風機４２に吸い込まれて空気吐出側に吐出され、ダクト６４内を通過して、空気吸引口２６から塵埃除去箱１２内に流入する循環を繰り返す。また、モップ８０の紡糸部８４が塵落とし部材４０上に当接された状態では、モップ８０の紡糸部８４上面と蓋１４との間に浮遊している埃及び紡糸部８４の下面と邪魔板６６との間に浮遊している埃がフィルタ５０にて捕らえられ、綺麗な空気だけが送風機４２に吸い込まれて空気吐出側に吐出され、ダクト６４内を通過して空気吸引口２６から塵埃除去箱１２内に流入する循環を繰り返す。係る第一の隙間７０を第二の隙間７２よりも狭くしているので、空気吸引口２６から塵埃除去箱１２内に流入した空気は第一の隙間７０に入ることなく紡糸部８４の上面と蓋１４を第二の隙間７２方向に円滑に通過させることができるので、紡糸部８４の上面と下面に浮遊している埃を確実にフィルタ５０で捕らえることが可能となる。
【００７０】
このように、塵埃除去箱１２内に設けられた邪魔板６６を備え、該邪魔板６６は、送風機４２により、塵埃除去箱１２内の他側から塵落とし部材４０に当接した状態の紡糸部８４と蓋１４との間を通過し、当該紡糸部８４と邪魔板６６間を通過した後、当該邪魔板６６と塵収容箱３６間を通過して送風機４２に吸い込まれる空気流を塵埃除去箱１２内に構成するので、紡糸部８４の上面側に浮遊している埃、及び、紡糸部８４の下面側に浮遊している埃をフィルタ５０で捕らえ、残りの綺麗になった空気だけを送風機４２に吸い込ませることができる。これにより、紡糸部８４の上面側、及び、紡糸部８４の下面側を埃のない綺麗な空気に置き換えることが可能となるので、例えば、塵埃除去箱１２内からモップ８０の紡糸部８４を取り出した際、紡糸部８４と共に塵埃除去箱１２内の埃が外部に出てしまうなどと行った不都合を確実に防止することが可能となる。従って、塵埃除去箱１２内全体に浮遊している埃を除去することができるので、例えば、従来のように、塵落とし部材４０にて塵を落とした際、フィルタ５０にて除去しきれずに浮遊している埃が、外部に飛散してしまうなどと行った、衛生悪化の不都合を未然に回避することができるようになると共に、モップ８０を塵埃除去箱１２内から外部に出した際、紡糸部８４の上面が塵で汚れているなどといった不都合も確実に防止することができる。
【００７１】
また、蓋１４の挿通孔１８は、塵埃除去箱１２の中央より他側寄り（左壁２４寄り）に位置して設けられているので、例えば、塵落とし部材４０の上に紡糸部８４が載置された状態で、当該紡糸部８４と、塵埃除去箱１２一側の第二の隙間７２を他側の第一の隙間７０より広くすることができる。これにより、空気吸引口２６から塵埃除去箱１２内に吸い込まれた空気を、送風機４２方向に紡糸部８４上面を通過させ、第二の隙間７２から下方（底壁３２方向）に流入させ、紡糸部８４下面を塵埃除去箱１２の他側に通過させて第三の隙間７４から下方の邪魔板６６と塵埃除去箱１２の間からフィルタ５０を通過させて送風機４２に帰還させることができる。即ち、ダクト６４から塵埃除去箱１２内に吸い込まれた空気を、紡糸部８４の上面側と下面側を円滑に通過させることができるので、紡糸部８４の上面側と下面側に浮遊している埃をフィルタ５０にて確実に捕らえることができる。
【００７２】
尚、実施の形態では、フィルタ５０の送出部５２と巻取部５４を送風機ケース４８の上に設けたが、フィルタ５０の送出部５２と巻取部５４を送風機ケース４８の上に限られず、送風機ケース４８の側面に設けても差し支えない。また、送風機ケース４８内に設けても差し支えない。
【００７３】
また、ダクト６４を送風機ケース４８後方の開口に接続し、後壁３０の外面に沿って左壁２４に至り、塵埃除去箱１２の空気吸引口２６に接続したが、ダクト６４は後壁３０の外面に沿って設けず、塵埃除去箱１２内に設けても差し支えない。この場合、ダクト６４が外観から隠れるので、モップ用塵埃回収装置１０の美観を向上させることができる。
【００７４】
また、実施形態ではモップ用塵埃回収装置１０の形状や寸法或いは配置などを記載したが、モップ用塵埃回収装置１０の要旨を逸脱しない範囲内で塵埃除去箱１２や蓋１４、或いは、送風機ケース４８などの形状や寸法を変更しても良いのは言うまでもない。勿論本考案は、上記各実施例のみに限定されるものではなく、この考案の趣旨を逸脱しない範囲で他の様々な変更を行っても本考案は有効である。
【図面の簡単な説明】
【００７５】
【図１】本考案の一実施例を示すモップ用塵埃回収装置の斜視図である（実施例１）。
【図２】本考案の一実施例を示すモップ用塵埃回収装置の概略縦断正面図である。
【図３】本考案の一実施例を示すモップ用塵埃回収装置の概略平断面図である。
【図４】本考案の一実施例を示すモップ用塵埃回収装置の概略縦断側面図である。
【図５】本考案の一実施例を示すモップ用塵埃回収装置の斜視図である（実施例２）。
【図６】本考案の一実施例を示すモップ用塵埃回収装置の概略縦断正面図である。
【図７】本考案の一実施例を示すモップ用塵埃回収装置の概略平断面図である。
【図８】本考案の一実施例を示すモップ用塵埃回収装置の概略縦断側面図である。
【図９】本考案の一実施例を示すモップ用塵埃回収装置の概略縦断正面である（実施例３）。
【符号の説明】
【００７６】
１０  モップ用塵埃回収装置
１２  塵埃除去箱
１４  蓋
１８  挿通孔
２６  空気吸引口
２７  案内板枠
３６  塵収容箱
４０  塵落とし部材
４２  送風機
５０  フィルタ
５２  送出部
５４  巻取部
５６  折返し軸
６４  ダクト
６６  邪魔板
７０  第一の隙間
７２  第二の隙間
７４  第三の隙間
８０  モップ
８２  柄
８４  紡糸部
【図１】
0003154554.tif 000003
【図２】
0003154554.tif 000004
【図３】
0003154554.tif 000005
【図４】
0003154554.tif 000006
【図５】
0003154554.tif 000007
【図６】
0003154554.tif 000008
【図７】
0003154554.tif 000009
【図８】
0003154554.tif 000010
【図９】
0003154554.tif 000011